(57)【要約】  遠隔制御（１０、６０、７０、８０）のタッチスクリーンを通じて提供される少なくとも１つの第１の入力装置（１２）を通じて医療機器（３０）を制御するための制御機能を活性化及び／又は不活性化するための少なくとも１つの制御情報が入力される、遠隔制御（１０、６０、７０、８０）による医療機器（３０）の無線制御のためのデバイス及び方法。遠隔制御（１０、６０、７０、８０）の第１の入力装置（１２）と独立した第２の入力装置（１８、８４）を通じて少なくとも１つの解除情報が入力される。制御情報が入力されるときに、解除情報が第２の入力装置を通じて入力されるときにだけ、制御機能が活性化及び／又は不活性化される。【選択図】図２
2016504929.tif 000002
【特許請求の範囲】
【請求項１】
遠隔制御（１０、６０、７０、８０）による医療機器（３０）の無線制御のための方法であって、
前記遠隔制御（１０、６０、７０、８０）のタッチスクリーン（２４）によって提供される少なくとも１つの第１の入力装置を通じて前記医療機器（３０）を制御するための制御機能を活性化及び／又は不活性化するための少なくとも１つの制御情報が入力され、
前記遠隔制御（１０、６０、７０、８０）の前記第１の入力装置（２４）と独立した第２の入力装置（１４、１８、６２、７２、８２）を通じて少なくとも１つの解除情報が入力され、
前記制御情報が入力されるときに、前記第２の入力装置（１４、１８、６２、７２、８２）を通じて前記解除情報が入力されるときにだけ前記制御機能が活性化及び／又は不活性化される
ことを特徴とする方法。
【請求項２】
前記第１の入力装置（２４）を通じて前記制御情報が入力され、前記第２の入力装置（１４、１８、６２、７２、８２）を通じて同時に又は前設定時間窓以内に前記解除情報が入力されるときにだけ、前記遠隔制御（１０、６０、７０、８０）から前記医療機器（３０）に前記制御情報が伝達される
請求項１に記載の方法。
【請求項３】
前記第１の入力装置（２４）の第１の制御ユニット（４２）から前記第２の入力装置（１４、１８、６２、７２、８２）の第２の制御ユニット（５０）に前記制御情報を含むデータが伝達され、
前記第２の制御ユニット（５０）によって同時に又は前設定時間窓以内に前記解除情報が測定されるときにだけ、前記第２の制御ユニット（５０）から前記医療機器（３０）に前記制御情報が更に伝達される
請求項１又は２に記載の方法。
【請求項４】
前記遠隔制御（１０、６０、７０、８０）から前記医療機器（３０）に同時に又は前設定時間窓以内に前記制御情報と前記解除情報とが伝達されるときにだけ、前記医療機器（３０）の制御ユニット（３６）によって前記医療機器（３０）の前記制御機能が活性化及び／又は不活性化される
請求項１に記載の方法。
【請求項５】
前記第１の入力装置（２４）は、スマートフォン（１２）、タブレットコンピュータ、及び／又はポータブルデジタルメディアプレイヤによって提供される
請求項１から４の何れか一項に記載の方法。
【請求項６】
前記第２の入力装置（１４、１８、６２、７２、８２）は、前記第２の入力装置（１４、１８、６２、７２、８２）に接続されるトランスポンダ（６４）と作動エレメント（１８、８４）とを備える少なくとも１つのスイッチングトランスポンダによって提供される
請求項１から５の何れか一項に記載の方法。
【請求項７】
前記スイッチングトランスポンダは、前記作動エレメント（１８、８４）の少なくとも１つのスイッチング状態において、少なくとも１つのデータラインを通じて前記医療機器（３０）の制御ユニットに接続される通信装置（３６）、好ましくは、読み取りユニットと通信する
請求項６に記載の方法。
【請求項８】
前記第２の入力装置（１８、８４）は、前記第１の入力装置（１２）の前記タッチスクリーン（２４）が使用可能、好ましくは、自由にアクセス可能であるように前記第１の入力装置（１２）が受け入れられる受け入れ室を備える筐体（１４、１８、６２、７２、８２）を有する
請求項１から７の何れか一項に記載の方法。
【請求項９】
前記第１の入力装置（１２）は、前記受け入れ室に挿入される
請求項８に記載の方法。
【請求項１０】
前記第１の入力装置（１２）は、少なくとも１つのプラグコネクタ（２０、２２）を通じて前記筐体（１４、１８、６２、７２、８２）に接続され、前記プラグコネクタ（２０、２２）を通じて、前記第１の入力装置（１２）の電源が提供され、及び／又は前記第１の入力装置（１２）の第１の制御ユニット（４２）と前記筐体（１４、１８、６２、７２、８２）に配置された第２の制御ユニット（５０）との間でデータが伝達される
請求項８又は９に記載の方法。
【請求項１１】
前記解除情報は、前記第２の入力装置の作動エレメント（１８、８４）を通じて、好ましくは、前記筐体（１４、１８、６２、７２、８２）の外側からアクセス可能であり、受け入れ領域の外側に配置される押しボタン（１８、８４）を通じて入力される
請求項８から１０の何れか一項に記載の方法。
【請求項１２】
前記制御機能によって、制御対象の前記医療機器（３０）の駆動装置、特に、アクチュエータ及び／又はロックエレメントのための駆動装置が活性化及び／又は不活性化される
請求項１から１１の何れか一項に記載の方法。
【請求項１３】
制御対象の前記医療機器（３０）は、手術台（３０）である
請求項１から１２の何れか一項に記載の方法。
【請求項１４】
前記制御情報及び／又は前記解除情報を含むデータは、前記第１の入力装置（１２）から、前記第２の入力装置（１４、１８、６２、７２、８２）から、又は前記第２の入力装置（１４、１８、６２、７２、８２）の第２の制御ユニット（５０）から前記医療機器（３０）に暗号化方式で伝達される
請求項１から１３の何れか一項に記載の方法。
【請求項１５】
医療機器の無線制御のためのデバイスであって、
制御対象の医療機器（３０）を制御するための制御機能を活性化及び／又は不活性化するための少なくとも１つの制御情報を入力するための個々に使用可能なデバイス（１２）の形式で、タッチスクリーン（２４）を通じて提供される少なくとも１つの入力装置を有する個々に使用可能なデバイス（１２）を受け入れるための筐体（１４、１８、６２、７２、８２）を備え、
前記筐体（１４、１８、６２、７２、８２）は、少なくとも１つの解除情報を入力するための第１の入力装置と独立した第２の入力装置（１８、８４）を含む
ことを特徴とするデバイス。
【発明の詳細な説明】
【技術分野】
【０００１】
本発明は、遠隔制御による医療機器の無線制御のための方法及びデバイスに関する。
【背景技術】
【０００２】
手術台のような手術のための医療機器は、例えば、独国特許出願公開第１０２００５０５４２３０号明細書、独国特許出願公開第１０２００７０６０８１０号明細書、独国特許出願公開第１０２００７０６０８０８号明細書、独国特許出願公開第１０２００７０６０８１１号明細書、及び、独国特許出願公開第１０２００５０５４２２３号明細書に開示されているような複数のソリューションが知られている。更に、家電の分野においては、複数のプログラマブルでティーチブルな遠隔制御が知られているが、フェイルセーフに関しての医療機器のための遠隔制御における高い要求を満たさない。
【発明の概要】
【発明が解決しようとする課題】
【０００３】
既知の先行技術から始まって、本発明の目的は、医療機器の快適で安全な操作が可能な遠隔制御による医療機器の無線制御のための方法及び配置を明示することにある。
【０００４】
この目的は、独立項の特徴を有する配置だけでなく、請求項１の特徴を有する医療機器の無線制御のための方法によって解決される。本発明の有利な発展は従属項に明示される。
【課題を解決するための手段】
【０００５】
本発明によって、タッチスクリーンを有し、更に入力装置に連結された簡素な電気デバイスが、医療機器の制御のための遠隔制御として使用することができる。このような簡素な電気デバイスは、スマートフォン、メディアプレイヤ、又はタブレットコンピュータ、特に、アップルコンピュータ株式会社のｉＰｏｄ（登録商標）、ｉＰｈｏｎｅ（登録商標）、又はｉＰａｄ（登録商標）であり得る。
【０００６】
本発明によれば、制御情報が第１の入力装置によって入力され、解除情報が第１の入力装置と独立した第２の入力装置を通じて入力されたときにだけ制御機能が実行される。その結果として、医療機器の故意でない制御が防がれるように、第１の入力装置を通じた故意でない入力が直接的に制御機能を生じさせない。特に、患者の外科手術中に又は患者の治療に使用される医療機器の故意でない操作の場合は、故意でない操作が患者の健康と寿命のための決定的帰結（fatal consequence）を有する。少なくとも第１の入力装置と第２の入力装置は、医療機器の無線制御のための遠隔制御の一部である。
【０００７】
有利な発展においては、制御情報が第１の入力装置を通じて入力され、解除情報が第２の入力装置を通じて同時に又は前設定時間窓以内に入力されるときにだけ、制御情報が遠隔制御からデバイスに伝達される。このように、操作過誤が効果的に防がれるように、制御情報の入力と解除情報の入力との間の近接した時間関係でなければならないことが達成される。
【０００８】
更に、制御情報を含むデータが第１の入力装置の第１の制御ユニットから第２の入力装置の第２の制御ユニットに伝達されるときに、及び制御情報が第２の制御ユニットから解除情報が制御ユニットによって同時に又は前設定時間窓以内に検出されるときに制御対象の医療機器に更に伝達されるときに有利である。第２の制御ユニットの提供によって、解除情報が第１の制御ユニットから第２の制御ユニットに制御情報の伝達後に同時に又は前設定時間窓以内に存在しても簡単に監視することができる。その結果として、解除情報の存在による制御情報の伝達の創造性のある従属は、第１の入力装置又は必然的に制御対象の医療機器に対する構造変更を伴わないで簡単に実現することができる。特に、第１の入力装置としてタッチスクリーンを有する簡素な電気デバイスが使用されるときに有利である。その結果として、医療機器の無線制御のための遠隔制御の簡単な高費用効率の現実化が可能となる。好ましくは、簡素な電気デバイスは、遠隔制御として第２の入力装置と協同する役割を果たす。簡素な電気デバイスは、好ましくは、少なくとも一部が第２の入力装置が収容された筐体に受け入れられ、簡素な電気デバイスの配置、第２の入力装置、及び筐体は、医療機器の無線制御のための遠隔制御を形成する。時間窓は、好ましくは、制御情報の入力前に２秒、制御情報の入力後に２秒まで、望ましくは、制御情報の入力前に１秒、制御情報の入力後に１秒まで、特に、制御情報の入力前に０．５秒、制御情報の入力後に０．５秒までの範囲を含む。
【０００９】
代替的に又は付加的に、医療機器の制御機能は、制御情報と解除情報とが遠隔制御からデバイスに前設定時間窓以内に又は同時に伝達されるときにだけ、デバイスの制御ユニットによって活性化及び／又は不活性化される。このように、代替的に又は付加的に、解除情報の存在は、それ自身で制御対象の医療機器でチェックすることができる。その結果として、高い安全性が達成される。時間窓は、好ましくは、制御情報の入力前に２秒、制御情報の入力後に２秒まで、望ましくは、制御情報の入力前に１秒、制御情報の入力後に１秒まで、特に、制御情報の入力前に０．５秒、制御情報の入力後に０．５秒までの範囲を含む。
【００１０】
更に、第２の入力装置がトランスポンダを備える少なくとも１つのスイッチングトランスポンダによって提供され、それに作動エレメントが接続されるときに有利である。作動エレメントは、例えば、押しボタンであり得る。トランスポンダとしては、アクティブトランスポンダ又はパッシブトランスポンダを使用することができる。アクティブトランスポンダは、自身でエネルギ源を有する。このエネルギ源は、遠隔制御に配置されたバッテリ又はそこに配置されたアキュムレータによって実現することができる。代替的に又は付加的に、アクティブトランスポンダのエネルギ源は、バッテリ又は第１の入力装置のアキュムレータによってエネルギを供給することができる。アクティブトランスポンダは、一般に、パッシブトランスポンダよりも高い限界を有する。パッシブトランスポンダは、パッシブトランスポンダが自身で電源を必要としないように、専ら、書き込み／読み取りユニットの領域から通信と内部処理との実行のために必要とされるエネルギを得る。パッシブトランスポンダの通信限界は、一般に、アクティブトランスポンダの通信限界よりも低い。しかしながら、先行技術においては、パッシブトランスポンダの限界を増加させる可能性が知られている。無線エネルギのためのデバイス及び方法、及び／又はソースデバイスと少なくとも１つのターゲットデバイスとの間のデータ通信は、例えば、独国特許出願公開第１０２００７０６０８１１号明細書により知られており、その内容が引用によって本明細書に統合される。
【００１１】
更に、スイッチングトランスポンダが少なくとも作動エレメントの１つのスイッチング状態で通信装置、好ましくは、読み取りユニットと通信するときに有利であり、通信装置は、少なくとも１つのデータラインを通じてデバイスの制御ユニットに接続される。その結果として、通信装置を通じて医療機器の制御ユニットとスイッチングトランスポンダとの簡単な通信が可能となる。通信装置と医療機器との間のデータラインは、結線データライン又は無線データラインとして設計することができる。更に、通信装置は、制御対象の医療機器に統合される。
【００１２】
特に、トランスポンダが、パッシブＲＦＩＤタグ、半アクティブＲＦＩＤタグ、又はアクティブＲＦＩＤタグであるときに有利である。このように、第２の入力装置及び／又は第１の入力装置と制御対象の医療機器との間の簡単で高費用効率の通信を行うことができる。
【００１３】
更に、少なくとも通信装置との通信のために必要とされるエネルギを含むトランスポンダのエネルギ源が常にエネルギ源ユニットに対する無線連結を通じて提供されるときに有利であり、エネルギ源ユニットは、好ましくは、通信装置の一部である。その結果として、トランスポンダは、書き込み／読み取りユニットとして設計された通信装置の領域からその動作のために必要とされるエネルギを簡単に得ることができる。
【００１４】
更に、トランスポンダと通信装置との間の無線通信がＵＨＦ伝送帯で行われるときに有利である。これにより、簡単で安全なデータ通信が可能となる。
【００１５】
更に、第２の入力装置の作動エレメントが作動エレメントの第１のスイッチ位置でトランスポンダの受信回路を短絡させるときに有利であり、エネルギ源ユニットは、少なくとも、少なくとも１つの通信装置との通信のためのトランスポンダによって必要とされるエネルギを受信回路に電気的に及び／又は電磁的に伝達する。作動エレメントの第２のスイッチ位置においては、トランスポンダは、通信装置に情報、特に、トランスポンダのＩＤを伝達することができ、それは、通信装置によって評価されるか、又は解除情報として解釈される。
【００１６】
特に、第２の入力装置が交換可能なバッテリ及び充電可能なアキュムレータを備えないときに有利である。これは、特に、第１の入力装置の電源を通じて第２の入力装置の電源をとることを達成することができ、その動作のために必要とされる電気エネルギは、書き込み／読み取りユニットとして設計された通信装置によって提供される電気又は電磁界から得られる。
【００１７】
特に、第２の入力装置が第１の入力装置のタッチスクリーンが使用可能であるように第１の入力装置が受け入れられる受け入れ室を含む筐体を有するときに有利である。その結果として、１人の操作者によって一般の配置として簡単に取り扱うことができる、第１の入力装置と第２の入力装置とで構成された簡素な構造ユニットを実現することができる。特に、第１の入力装置が受け入れ室に差し込まれるときに有利である。このように、筐体で第１の入力装置を簡単且つ安全に保持することができる。更に、そのとき、筐体と第１の入力装置との間の電気プラグ接続を確立することも簡単に可能となる。
【００１８】
このような電気プラグ接続を通じて、第１の入力装置の電源を提供することができ、及び／又は第１の入力装置の制御ユニットと筐体に配置された第２の制御ユニットとの間でデータを伝達することができる。代替的に又は付加的に、電気プラグ接続を通じて、第２の入力装置又は筐体に配置された第２の制御ユニットの電源を提供することができる。その結果として、特に、第１の入力装置と第２の入力装置との簡単な電力供給及び／又は連結が可能となる。
【００１９】
特に、解除情報が第２の入力装置の作動エレメントを通じて、好ましくは、押しボタンを通じて入力されるときに有利であり、それは、受け入れ領域の外側に配置され、筐体の外側からアクセス可能である。その結果として、簡単な操作が可能となり、このような押しボタン、及び／又は押しボタンによって実行することができる押し込み動作は、操作者によって、簡単に、好ましくは、触覚的に知覚することができる。
【００２０】
特に、有利である、制御対象の医療機器の駆動装置、特に、アクチュエータ、及び／又はロックエレメントのための駆動装置は、制御機能によって活性化及び不活性化される。その結果として、医療機器の複数の制御機能は、遠隔制御によって簡単に提供することができる。
【００２１】
特に、医療機器が手術台であるときに有利である。そのとき、操作機能は、特に、患者の外科手術中に遠隔制御によって簡単に実行することができる。
【００２２】
特に、制御情報及び／又は解除情報を含むデータが、制御対象の医療機器に、第１の入力装置から、第２の入力装置から、及び／又は第２の制御ユニットから暗号化された方法で伝達されるときに有利である。特に、これらのデータは、対称暗号化方式で伝達することができる。その結果として、故意でない操作過誤が防がれ、ユーザ及び／又は患者を害する悪意のある操作が効果的に防がれるように、医療機器の制御ユニットによって異なる暗号符号化を有する両方のデータを処理することができないため、操作と故意でない操作過誤を防ぐことができる。
【００２３】
医療機器の無線制御のための本発明の第２の態様によって請求されたデバイスは、特に、第１の入力装置がタッチスクリーンを通じて提供される制御情報の入力のためのキーボードを有し、第２の入力装置が解除情報の入力のための作動エレメントを有することを更に発展させることができる。その結果として、制御情報と解除情報との簡単で快適な入力が可能となる。
【００２４】
更に、筐体に少なくとも１つの制御ユニットを配置することは有利であり、制御ユニットは、解除情報が制御情報の入力前に及び／又は入力後に同時に又は前設定時間窓以内に存在するときに制御情報をデバイスに送信する。その結果として、フェイルセーフが向上され、誤った入力を防ぐことができる。時間窓は、好ましくは、制御情報の入力前に２秒、制御情報の入力後に２秒まで、望ましくは、制御情報の入力前に１秒、制御情報の入力後に１秒まで、特に、制御情報の入力前に０．５秒、制御情報の入力後に０．５秒までの範囲を含む。
【００２５】
更に、制御ユニット、好ましくは、トランスポンダを筐体内に又は筐体上に配置することは有利である。第２の入力装置の作動エレメントが動かされるときに、制御ユニット又はトランスポンダは、操作されるデバイスに解除信号を送信し、又は操作される医療機器にブロック信号を送信することを停止する。そのとき、制御情報は、解除情報の存在と独立して操作されるデバイスに伝達される。デバイスの制御ユニットは、同時に又は時間窓以内、即ち、制御情報の受信直前に又は受信直後に解除信号が送信されたか否かをチェックする。その結果として、操作過誤を簡単且つ効果的に防ぐことができる。
【００２６】
本発明の更なる特徴と利点は、添付された図面に関連する実施の形態に基づいて本発明をより詳細に説明する以下の明細書から生じる。
【図面の簡単な説明】
【００２７】
【図１】本発明の第１の実施の形態による医療機器の無線制御のための遠隔制御を示し、遠隔制御は、スマートフォンとドッキングステーションとを備える。
【図２】分離された状態の図１によるスマートフォンとドッキングステーションとを示す。
【図３】手術台の無線制御のための図１、２による遠隔制御のブロック図を示す。
【図４】本発明の第２の実施の形態による手術台の無線制御のための遠隔制御のブロック図を示し、遠隔制御は、スマートフォンとドッキングステーションとを備える。
【図５】本発明の第３の実施の形態による手術台の制御のための遠隔制御のブロック図を示し、遠隔制御は、スマートフォンとドッキングステーションとを備える。
【図６】本発明の第４の実施の形態による遠隔制御を示し、遠隔制御は、スマートフォンとドッキングステーションとを備える。
【図７】分離された状態の図６によるスマートフォンとドッキングステーションとを示す。
【発明を実施するための形態】
【００２８】
図１は、スマートフォン１２とドッキングステーション１４とを備える遠隔制御１０を示す。スマートフォン１２は、遠隔制御１０の第１の入力装置としての役割を果たす。第１の入力装置１２は、図３に図示された手術台３０を制御するための本実施の形態において、制御対象の医療機器の制御機能を活性化及び／又は不活性化するために制御情報を入力するためのタッチスクリーン２４を備える。ドッキングステーション１４は、解除情報の入力のための第２の入力装置を備え、第２の入力装置は、押しボタン１８として形成される。本発明の第１の実施の形態においては、第１の入力装置１２を通じた制御対象の医療機器３０に対する制御情報入力の伝達は、ドッキングステーション１４を通じて行われる。しかしながら、ドッキングステーション１４は、第１の入力装置１２を通じた制御情報の入力と同時に解除情報が押しボタン１８を通じて入力されるときにだけ、制御対象の医療機器３０に制御情報を伝達し、即ち、制御情報が第１の入力装置１２を通じて入力されるときに押しボタン１８を押さえ付けなければならない。
【００２９】
代替的に又は付加的に、解除情報が第１の入力装置１２を通じて制御情報の入力直前に又は入力直後に提供されるときに、制御情報をドッキングステーション１４から制御対象の医療機器３０に伝達することができる。ここで、制御情報の入力前に又は入力後に解除情報の入力の近接した時間接続のための期間として、約２秒、好ましくは、約１秒又は約０．５秒の期間が考慮される。このように、デバイス３０の制御機能が実行されるように、制御情報の入力と解除情報の入力とが近接した時間関係になければならないことが保証される。
【００３０】
ドッキングステーション１４とスマートフォン１２は、相互に遠隔制御１０を形成する。図２においては、スマートフォン１２とドッキングステーション１４は、分離された状態で示される。ドッキングステーション１４にスマートフォン１２を接続するために、ドッキングステーション１４のプラグコネクタ２０がスマートフォン１２の相補的なプラグコネクタ２２に接続されるまで、スマートフォン１２がドッキングステーション１４の外側の受け入れ領域１６に対して矢印Ｐ１の方向に挿入される。少なくとも１つの制御機能の入力のために、スマートフォン１２は、制御情報の入力のための少なくとも１つの入力領域が提供されたタッチスクリーン２４を有する。代替的に又は付加的に、タッチスクリーン２４は、制御情報を生成するための制御コマンドを入力することができるテキスト入力領域を提供することができる。更に、遠隔制御１０によって受信された状態情報の表示のための表示領域を提供することができる。
【００３１】
図３においては、遠隔制御１０のブロック図が操作される手術台３０の概略図と共に図示される。スマートフォン１２は、電源のためのアキュムレータ４０と、制御装置４２と、タッチスクリーン２４として設計されたユーザインタフェース４４と、を含む。スマートフォン１２は、プラグコネクタ２０、２２を通じてドッキングステーション１４のインタフェース制御装置４６に接続される。ドッキングステーション１４は、アキュムレータ４８と、ドッキングステーション制御装置５０と、手術台３０の通信装置３６に制御情報３２を伝達するための送信ユニット５２と、手術台３０の通信装置３６の状態情報及び／又は確認請求を受信するための受信ユニット５４と、を更に有する。ドッキングステーション１４は、少なくともアキュムレータ４８を充電するための電気エネルギをドッキングステーション１４に供給することができるプラグコネクタ５６を有する。スマートフォン１２のアキュムレータ４０は、インタフェース制御装置４６によって提供され、アキュムレータ４８から供給された電源によって、又は代替的にプラグコネクタ５６を通じて供給された電源によって充電することができる。インタフェース制御装置４６は、特に、スマートフォン１２のタッチスクリーン２４を通じて制御情報入力をドッキングステーション制御装置５０に伝達し、手術台３０によって送信され、受電ユニット５４によって受信され、ドッキングステーション制御装置５０によって処理される手術台３０の状態情報３４を、タッチスクリーン２４を通じて状態情報を出力し、及び／又はタッチスクリーン２４を通じて状態情報に依存する制御機能の選択を出力するスマートフォン１２に伝達する。押しボタン１８が閉じられるときにだけ、ドッキングステーション制御装置５０からトランスミッタ５２に送信される制御情報の送信が行われる。
【００３２】
他の実施の形態においては、押しボタン１８の押し込み状態を検出するように、押しボタン１８をドッキングステーション制御装置５０の入力に接続することができ、押し込み状態に依存して、押しボタン１８の動作がドッキングステーション制御装置５０によって検出されたときに、少なくとも制御情報入力の一部をタッチスクリーン２４を通じて送信ユニット５２だけに伝達する。好ましくは、特有の実施の形態においては、このような制御情報だけがスイッチング状態１８に依存してドッキングステーション制御装置５０から送信ユニット５２に伝達され、それが不注意に活性化されたときに患者の治療に負の効果を直接的に生じさせる。
【００３３】
図４においては、ドッキングステーション６２とスマートフォン１２とを含む第２の実施の形態による遠隔制御６０のブロック図が示される。同一の構成又は同一の機能を有するエレメントは、同一の引用符号により識別される。図３によるドッキングステーション１４のように、ドッキングステーション６２は、スマートフォン１２のための追加電源としての役割を果たし、スマートフォン１２のアキュムレータ４０を充電するアキュムレータ４８を有する。アキュムレータ４８は、外部電源供給ユニット（不図示）にプラグコネクタ５６を通じて接続可能であり、このプラグ接続５６を通じて簡単に充電することができる。第１の実施の形態による遠隔制御１０とは対照的に、スマートフォン１２は、制御対象の手術台３０の通信装置３６に押しボタン１８の動作状態と独立して制御情報６６を送信する。通信装置３６とスマートフォン１２との間のデータ伝送は双方向であり、即ち、手術台３０の状態情報は、同様に通信装置３６からスマートフォン１２に伝達される。
【００３４】
ドッキングステーション６２は、書き込み／読み取りユニットとして設計された手術台３０の通信装置３６によって電力が供給されたときに、押しボタン１８のスイッチング状態に依存して手術台３０の通信装置３６に情報を伝達するパッシブ送信ユニット６４を更に有し、その情報が通信装置３６によって解除情報として解釈される。通信装置３６及び／又は手術台３０の更なる制御ユニットは、同時に解除情報の入力情報が受信されたときにだけ、及び／又は制御情報と解除情報の受信が近接した時間関係にあるときにだけ、制御機能を実行する。ここで、近接した時間関係と見なされるものは、本発明の第１の実施の形態に関連して既に説明された。パッシブ送信ユニット６４は、本実施の形態のパッシブトランスポンダである。他の実施の形態においては、他のもの、特に、アクティブ送信ユニットをも利用することができる。
【００３５】
図５においては、ドッキングステーション７２とスマートフォン１２とを有する第３の実施の形態による遠隔制御７０のブロック図が示される。第２の実施の形態による遠隔制御６０とは対照的に、第３の実施の形態の遠隔制御７０のドッキングステーション７２は、アキュムレータを有さない。解除情報６８を生成すると共に伝達するためのトランスミッタ６４の機能、スマートフォン１２による制御情報６６の生成、及び手術台３０の通信装置３６に対する制御情報の伝達は、本発明の第２の実施の形態に関連して説明されたものと同一の方法で行われる。ドッキングステーション７２のプラグコネクタ２０は、少なくとも電力を供給するように、及び好ましくは、外部制御ユニットとスマートフォン１２との間のデータ交換がプラグコネクタ７４、２０、２２を通じて可能であるように、ドッキングステーション７２の更なるプラグコネクタ７４に接続される。
【００３６】
スマートフォン１２と通信装置３６との間のデータ伝送は、３つの説明された全ての実施の形態において無線方式で行うことができる。特に、データ伝送は、ＷＩＦＩ、Ｂｌｕｅｔｏｏｔｈ（登録商標）、赤外線、近接場通信、及び／又は無線信号の通信タイプの１つを通じてスマートフォン１２から手術台３０の通信装置３６に対して行われる。ここで、スマートフォン１２から通信装置３６に対する制御情報の伝達は、第１の通信タイプによって行うことができ、通信装置３６からスマートフォン１２に対する情報伝達は、他の通信タイプによって行うことができる。
【００３７】
図６、７は、ドッキングステーション８２とスマートフォン１２とを備える本発明の第４の実施の形態による遠隔制御８０を示す。本発明の第１の実施の形態の遠隔制御１０とは対照的に、ドッキングステーション８２は、その上部右外側に第２の入力装置としての役割を果たす押しボタン８４を有する。この遠隔制御８０によって、図３から５に記載され、第１、第２、及び第３の実施の形態に関連して説明された制御シーケンスは代替オプションである。
【００３８】
第２の入力装置を有する筐体がドッキングステーションとして見なされ、それが第１の入力装置としての役割を果たすと共にタッチスクリーンを有する電気デバイスに対して機械的に連結可能となる。特に、ドッキングステーションに受け入れられたデバイスが、少なくとも４つ、好ましくは、５つの側面でドッキングステーションによって完全に包囲されるときに有利である。特に、ドッキングステーションの筐体がタッチスクリーンを有する電気デバイスの６つの側面を覆うときに有利であり、カバーを通じてタッチスクリーンの表示を常に読むことができ、カバーを通じてタッチスクリーンを使用可能である。
【００３９】
ドッキングステーションは、好ましくは、カバー、即ち、スマートフォン１２が挿入されるエンクロージャとして形成される。図３から５のブロック図に示される更なるエレメントは、電子回路としてカバーに統合される。スマートフォン１２は、このカバーに受け入れられる。電子回路は、結線又は無線になり得るスマートフォン１２に対するインタフェースを有する。
【００４０】
結線インタフェースとしては、ＵＳＢインタフェース、好ましくは、マイクロＵＳＢコネクタを通じて使用することができる。無線インタフェースとしては、Ｂｌｕｅｔｏｏｔｈ（登録商標）接続を利用することができる。医療機器３０との通信のために提供された送信ユニット５２と受信ユニット５４は、赤外線伝送及び／又は無線伝送に基づいて制御される。表示及び／又は更なる処理のためのスマートフォン１２に医療機器の状態メッセージも伝達することができるように、ドッキングステーション１４のドッキングステーション制御装置５０とスマートフォン１２との間のデータ伝送は、好ましくは、双方向である。
【００４１】
図１から７に記載されたスマートフォン１２の代替として、タッチスクリーンを有するメディアプレイヤやタブレットコンピュータ、特に、アップルコンピュータ株式会社のｉＰａｄ（登録商標）又はｉＰｏｄ（登録商標）等の他の電気デバイスを利用することができる。
【符号の説明】
【００４２】
１０、６０、７０、８０  遠隔制御
１２  スマートフォン
１４、６２、７２、８２  ドッキングステーション
１６  受け入れ領域
１８、８４  押しボタン
２０、２２  プラグコネクタ
２４  タッチスクリーン
３０  手術台
３２、６６  制御情報
３４  状態情報
３６  通信装置
４０、４８  アキュムレータ
４２  制御装置
４４  ユーザインタフェース
４６  インタフェース制御装置
５０  ドッキングステーション制御装置
５２  送信ユニット
５４  受信ユニット
５６  プラグコネクタ
６４  トランスミッタ
６８  解除情報
【図１】
2016504929.tif 000003
【図２】
2016504929.tif 000004
【図３】
2016504929.tif 000005
【図４】
2016504929.tif 000006
【図５】
2016504929.tif 000007
【図６】
2016504929.tif 000008
【図７】
2016504929.tif 000009
【国際調査報告】
2016504929.tif 000010
2016504929.tif 000011
2016504929.tif 000012
2016504929.tif 000013